(57)【要約】【課題】表示領域が拡大し、着信情報等の表示方向の変更や視認禁止が簡単で、着信情報等が視認可能な状態かを瞬時に判断できる折り畳み式端末の提供。【解決手段】端末１は本体２とカバー３とヒンジ４とメイン表示部６と回転体２０とサブ表示部２１と開閉検出スイッチとサブ位置検出スイッチと制御部とを有する。ヒンジ４は本体２とカバー３とを開閉自在に連結する。メイン表示部６は本体２の内面２ｃ上に配置され、回転体２０はカバー３に回転自在に支持され、サブ表示部２１は回転体２０の一面２０ｃ上に配置される。回転体２０の回転移動により、サブ表示部２１はメイン表示部６と同じ側を向く内向きとその反対側を向く外向きとに設定される。制御部は、開閉検出スイッチからのカバー３の開閉情報とサブ位置検出スイッチからのサブ表示部２１の位置情報とに応じて、メイン表示部６及びサブ表示部２１を所定の表示モードに設定する。【選択図】　　　図１
2004040452.tif 000002
【特許請求の範囲】
【請求項１】
第１の筐体と、
第２の筐体と、
前記第１及び第２の筐体の内面同士が相対向する閉状態から該内面が共に開放される開状態へ変更自在に前記第１の筐体と第２の筐体とを連結する連結部と、
前記第１及び第２の筐体の少なくとも一方の内面上に配置された第１の表示部と、
前記第２の筐体に対して回転自在に設けられ、前記閉状態で前記第１の筐体に覆われ前記開状態で前記第１の表示部と同じ側を向いて露出する第１の位置と少なくとも前記閉状態で露出する第２の位置とに設定可能な第２の表示部と、
前記第１及び第２の筐体の開閉状態を検出する開閉検出手段と、
前記第２の筐体に対する前記第２の表示部の位置を検出する位置検出手段と、
前記開閉検出手段により検出される前記第１及び第２の筐体の開閉状態と、前記位置検出手段により検出される前記第２の表示部の位置とに応じて、前記第２の表示部の表示状態を制御する表示制御手段と、
を備えたことを特徴とする折り畳み式携帯端末装置。
【請求項２】
請求項１に記載の折り畳み式携帯端末装置であって、
前記表示制御手段は、前記第２の表示部の表示状態を、前記第１及び第２の筐体が開状態で前記第２の表示部が前記第１の位置にあるとき第１の表示モードに、前記第１及び第２の筐体が開状態で前記第２の表示部が前記第２の位置にあるとき第２の表示モードに、前記第１及び第２の筐体が閉状態で前記第２の表示部が前記第１の位置にあるとき第３の表示モードに、前記第１及び第２の筐体が閉状態で前記第２の表示部が前記第２の位置にあるとき第４の表示モードにそれぞれ設定することを特徴とする折り畳み式携帯端末装置。
【請求項３】
請求項２に記載の折り畳み式携帯端末装置であって、
前記表示制御手段は、前記第１の表示モードでは前記第２の表示部に所定の情報を表示することを特徴とする折り畳み式携帯端末装置。
【請求項４】
請求項２又は請求項３に記載の折り畳み式携帯端末装置であって、
前記表示制御手段は、前記第２の表示モードでは前記第２の表示部の初期状態を非表示に設定することを特徴とする折り畳み式携帯端末装置。
【請求項５】
請求項２〜請求項４の何れかに記載の折り畳み式携帯端末装置であって、
前記表示制御手段は、前記第３の表示モードでは前記第２の表示部を非表示に設定することを特徴とする折り畳み式携帯端末装置。
【請求項６】
請求項２〜請求項５の何れかに記載の折り畳み式携帯端末装置であって、
前記表示制御手段は、前記第４の表示モードでは前記第２の表示部に所定の情報を表示することを特徴とする折り畳み式携帯端末装置。
【請求項７】
請求項２〜請求項６の何れかに記載の折り畳み式携帯端末装置であって、
前記表示制御手段は、前記開閉検出手段により検出される前記第１及び第２の筐体の開閉状態と、前記位置検出手段により検出される前記第２の表示部の位置とに応じて、前記第１の表示部の表示状態を制御し、
前記第１、第２、第３及び第４の表示モードは、それぞれ前記第１の表示部の表示状態を含むことを特徴とする折り畳み式携帯端末装置。
【請求項８】
請求項７に記載の折り畳み式携帯端末装置であって、
前記表示制御手段は、前記第１の表示モードでは、前記第２の表示モードで前記第１の表示部に表示する所定の情報の少なくとも一部を前記第２の表示部に表示することを特徴とする折り畳み式携帯端末装置。
【請求項９】
請求項１〜請求項８の何れかに記載の折り畳み式携帯端末装置であって、
前記第１又は第２の筐体の一方に設けられた撮像装置をさらに備え、
前記表示制御手段は、前記撮像装置の被写体への情報を前記第２の表示部に表示することを特徴とする折り畳み式携帯端末装置。
【請求項１０】
請求項９に記載の折り畳み式携帯端末装置であって、
前記第２の筐体に回転自在に支持された第３の筐体をさらに備え、
前記第２の表示部と前記撮像装置とは、略同方向を向いて前記第３の筐体に固定されることを特徴とする折り畳み式携帯端末装置。
【発明の詳細な説明】
【０００１】
【発明の属する技術分野】
本発明は、携帯電話機に代表される折り畳み式の携帯端末装置に関する。
【０００２】
【従来の技術】
携帯電話機などの携帯端末装置の技術革新は著しく、インターネット接続などの通信機能、ゲーム、デジタルカメラ、音楽再生機能などを搭載して、多機能化が進んでいる。これに伴い、携帯電話機の表示装置についても、カラー化や大型画面化が図られている。
【０００３】
【発明が解決しようとする課題】
しかし、小型・軽量が求められる携帯端末装置では、大型画面化といっても限度があり、パーソナルコンピュータのモニタ等とは比較にならない。
【０００４】
特に、携帯電話機を使用して電子メールを作成、閲覧したり、ウェブ情報を閲覧したり、ゲーム等を実行する場合には、その表示領域はより広いことが望ましい。
【０００５】
ここで、本体とカバーとが開閉自在に連結された折り畳み式の携帯電話機の中には、カバーを閉じたままでも所定の情報を視認できるように、カバーの外面に比較的小さなサブ表示部を設けたものがある。
【０００６】
ところが、係る構造では、使用者がカバーを開いてメイン表示部を見るときはサブ表示部はその視界から外れるため、必然的に２つの表示部はそれぞれ単独に使用される。すなわち、カバーを開いているときは、メイン表示部のみが使用される。このため、サブ表示部がメイン表示部の表示領域の拡大に寄与することはない。
【０００７】
また、サブ表示部はカバーに固定されているため、サブ表示部を見易い角度に設定するためには、携帯電話機全体の角度を変えなければならない。
【０００８】
さらに、使用者が携帯電話機から離れているときに着信があった場合、発信者の電話番号や名前等の着信情報がサブ表示部に表示され、これらの情報が周囲の第三者に不用意に視認されてしまう可能性がある。このような不都合は、サブ表示部を非表示状態に設定することにより回避可能であるが、表示状態の設定変更にはキー操作を要するため、その作業が煩雑である。また、サブ表示部が非表示状態か否かを判断するためには、比較的小さなサブ表示部の表示状態を視認しなければならず、瞬時に判断することが難しい。
【０００９】
このように、従来の折り畳み式の携帯端末装置では、表示領域の拡大を図ることが難しく、また、待ち受け時における着信情報等の表示方向の変更や非表示状態への変更が煩雑であり、且つ非表示か否かを瞬時に判断し難いという不都合がある。
【００１０】
そこで、本発明は、表示領域の拡大を図ることができ、待ち受け時における着信情報等の表示方向の変更や着信情報等を視認できない状態への変更を簡単に行うことができ、さらに着信情報等を視認可能な状態か否かの判断を瞬時に行うことができる折り畳み式携帯端末装置の提供を目的とする。
【００１１】
【発明を解決するための手段】
上記目的を達成するため、本発明に係る折り畳み式の携帯端末装置は、第１の筐体と、第２の筐体と、連結部と、第１の表示部と、第２の表示部と、開閉検出手段と、開閉検出手段と、位置検出手段と、表示制御手段と、を備える。連結部は、第１及び第２の筐体の内面同士が相対向する閉状態から第１及び第２の筐体の内面が共に開放される開状態へ変更自在に第１の筐体と第２の筐体とを連結する。第１の表示部は、第１及び第２の筐体の少なくとも一方の内面上に配置される。第２の表示部は、第１の位置と第２の位置とに設定可能となるように、第２の筐体に対して回転自在に設けられる。第１の位置に設定された第２の表示部は、第１及び第２の筐体が閉状態にあるとき第１の筐体に覆われ、第１及び第２の筐体が開状態にあるとき第１の表示部と同じ側を向いて露出する。第２の位置に設定された第２の表示部は、少なくとも第１及び第２の筐体が閉状態にあるとき露出する。開閉検出手段は、第１及び第２の筐体の開閉状態を検出する。位置検出手段は、第２の筐体に対する第２の表示部の位置を検出する。表示制御手段は、開閉検出手段により検出される第１及び第２の筐体の開閉状態と、位置検出手段により検出される第２の表示部の位置とに応じて、第２の表示部の表示状態を制御する。
【００１２】
上記構成では、携帯端末装置の使用時には、第１及び第２の筐体が開状態とされる。係る開状態で第２の表示部が第１の位置に設定されると、第２の表示部は第１の表示部と同じ側を向いて露出する。従って、使用者は、第１の表示部を視認した状態のままその視線を移すだけで第２の表示部を視認することができる。このとき、開閉検出手段は第１及び第２の筐体が開状態であることを検出し、位置検出手段は第２の表示部が第１の位置に設定されていることを検出する。そして、表示制御手段は、これらの検出情報を受けて、使用者にとって有用な所定の情報を第２の表示部に表示する。すなわち、第１の表示部と第２の表示部の双方を使用者への情報提供のための表示領域として使用することができ、表示領域の拡大を図ることができる。
【００１３】
一方、待ち受け時には、第１及び第２の筐体が閉状態とされる。係る状態で第２の表示部が第２の位置に設定されると、第２の表示部は第２の筐体の内面と異なる側を向いて露出する。このとき、開閉検出手段は第１及び第２の筐体が閉状態であることを検出し、位置検出手段は第２の表示部が第２の位置に設定されていることを検出する。そして、表示制御手段は、これらの検出情報を受けて、待ち受け中の使用者にとって有用な時刻や着信情報等の所定の情報を第２の表示部に表示する。
【００１４】
ここで、第２の位置が所定の範囲を有するように設定しておくことにより、その範囲内で第２の表示部を回転移動させてその表示方向を変更することができる。従って、携帯端末装置全体の角度を変えることなく、サブ表示部を見易い角度に設定することができる。
【００１５】
また、使用者が携帯端末装置から離れる等の理由により着信情報等を視認できない状態へ変更したいときは、第２の表示部を第２の位置から第１の位置へ回転移動させる。これにより、第２の表示部が第１の筐体によって覆われ、第１及び第２の筐体を開状態としない限り、着信情報等を視認できない状態となる。すなわち、第２の表示部を回転移動させるという簡単な操作によって着信情報等を視認できない状態へ変更することができる。また、係る状態では、第２の表示部が第１の筐体によって覆われて露出していないので、着信情報等の視認が可能な状態か否かの判断を瞬時に行うことができる。
【００１６】
さらに、待ち受け時に第２の表示部を第１の位置に設定しておけば、第２の表示部が第１の筐体によって覆われるため、持ち運びの際などにおける第２の表示部の損傷を確実に防止することができる。
【００１７】
表示制御手段は、第２の表示部の表示状態を、第１及び第２の筐体が開状態で第２の表示部が第１の位置にあるとき第１の表示モードに、第１及び第２の筐体が開状態で第２の表示部が第２の位置にあるとき第２の表示モードに、第１及び第２の筐体が閉状態で第２の表示部が第１の位置にあるとき第３の表示モードに、第１及び第２の筐体が閉状態で第２の表示部が第２の位置にあるとき第４の表示モードにそれぞれ設定しても良い。
【００１８】
このように、開閉状態と第２の表示部の位置とに応じた表示モードを設定しておくことにより、複雑な制御を行うことなく、表示モードの切換えによって第２の表示部に適切な情報を表示することができる。
【００１９】
表示制御手段は、第１の表示モードでは第２の表示部に所定の情報を表示しても良い。第２の表示部が第１の表示部と同じ側を向いて露出する第１の表示モードでは、使用者は、第１の表示部を視認した状態のままその視線を移すだけで第２の表示部を視認することができる。従って、第１の表示モードにおいて、第２の表示部に所定の情報を表示することにより、第１の表示部と第２の表示部の双方を使用者への情報提供のための表示領域として使用することができ、表示領域が拡大を図ることができる。
【００２０】
表示制御手段は、第２の表示モードでは第２の表示部の初期状態を非表示に設定しても良い。第２の表示部が第１の表示部と異なる側を向く第２の表示モードでは、使用者は、第１の表示部を視認した状態のままその視線を移すだけで第２の表示部を視認することができるとは限らず、第２の表示部に情報を常時表示する必要性が低い。従って、第２の表示モードにおいて、第２の表示部の初期状態を非表示に設定することにより、省電力化を図ることができる。
【００２１】
表示制御手段は、第３の表示モードでは第２の表示部を非表示に設定しても良い。第２の表示部が第１の筐体に覆われる第２の表示モードでは、使用者は、第２の表示部を視認することができず、第２の表示部に情報を表示する必要性がない。従って、第３の表示モードにおいて、第２の表示部を非表示に設定することにより、省電力化を図ることができる。
【００２２】
表示制御手段は、第４の表示モードでは第２の表示部に所定の情報を表示しても良い。第１の表示部が第１又は第２の筐体によって覆われ、第２の表示部が露出する第４の表示モードでは、使用者は、第１の表示部を視認することはできないが、第２の表示部を視認することは可能である。従って、第４の表示モードにおいて、第２の表示部に所定の情報を表示することにより、使用者は有用な情報を得ることができる。
【００２３】
表示制御手段は、第２の表示部と同様に、開閉検出手段により検出される第１及び第２の筐体の開閉状態と、位置検出手段により検出される第２の表示部の位置とに応じて、第１の表示部の表示状態を制御しても良く、第１、第２、第３及び第４の表示モードは、それぞれ第１の表示部の表示状態を含んでも良い。
【００２４】
このように、制御表示手段が第１及び第２の表示部の双方の表示状態を制御することにより、例えば第１の表示モードにおいて２つの表示部間で重複した表示を避ける等、両表示部間を連携させた表示が可能となり、限られた表示領域を有効に活用することができる。
【００２５】
表示制御手段は、第１の表示モードでは、第２の表示モードで第１の表示部に表示する所定の情報の少なくとも一部を第２の表示部に表示しても良い。これにより、第１の表示モードにおける第１の表示部の表示領域が第２の表示モードに比べて実質的に拡大する。
【００２６】
携帯端末装置は、第１又は第２の筐体の一方に設けられた撮像装置をさらに備えても良く、表示制御手段は、撮像装置の被写体への情報を第２の表示部に表示しても良い。これにより、撮像装置の使用時において、被写体となる使用者や第三者は、第２の表示部から有用な情報を得ることができる。
【００２７】
携帯端末装置は、第２の筐体に回転自在に支持された第３の筐体をさらに備えても良く、第２の表示部と撮像装置とは、略同方向を向いて第３の筐体に固定されても良い。これにより、被写体となる使用者や第三者は、第２の表示部を常に正面から視認することができる。
【００２８】
【発明の実施の形態】
本発明の実施形態を、図面に基づいて説明する。
【００２９】
図１は本発明が適用される折り畳み式の携帯端末装置としての携帯電話機（以下、端末と略称する）１の外観斜視図、図２は端末１のハードウェア構成を示すブロック図、図３は端末１のカバー３と回転体２０との連結構造を示す要部断面図、図４はサブ位置検出スイッチ２３の模式図、図５〜図９は各表示モードに設定された端末１の要部外観図、図１０は表示モード遷移図である。
【００３０】
図１に示すように、端末１は、第１の筐体としての本体２と、第２の筐体としてのカバー３と、連結部としてのヒンジ４と、第１の表示部としてのメイン表示部６と、第２の表示部としてのサブ表示部２１と、を有する。
【００３１】
ヒンジ４は、本体２及びカバー３の内面２ｃ，３ｃ同士が相対向して本体２の内面２ｃがカバー３によって覆われる閉状態から、これら内面２ｃ、３ｃが共に開放される開状態へ変更自在に、本体２の一端部２ａとカバー３の一端部３ａとを連結している。端末１は、カバー３を開いた開状態で使用され、待ち受け時には通常カバー３を閉じた閉状態に設定される。以下の説明において、端末１の上下方向は、その開閉状態に関係なく本体２を基準とし、本体２の一端部２ａ側（ヒンジ４側）を上、他端部２ｂ側を下とする。すなわち、使用時には、図１に示すように、カバー３がヒンジ４を介して本体２の上方へ開かれる。
【００３２】
本体２の内面２ｃの上部（一端部２ａ）には、中央のジョグダイヤル８と、その両外側の方向キー９ａ，９ｂと、さらにその両外側のソフトキー１０ａ，１０ｂとが配列されている。ジョグダイヤル８は、回転動作可能な押圧スイッチである。ソフトキー１０ａ，１０ｂは、種々のメニューや画面に対応して任意の機能が割り当てられる操作キーであり、その割り当てられた機能は、キー機能表示エリアの表示内容によって使用者に知らされる。方向キー９ａ、９ｂについては、端末１の各利用場面でのその使用の可否がキー操作表示領域に表示される。これらの操作キーよりも他端部２ｂ側には、通話キー１１、クリアキー１２、及び電源キー／終話キー１３が配置されている。さらにその他端部２ｂ側には、テンキー１４、メモキー１５、及びマナーキー１６が配置されている。本体２の下部（他端部２ｂ）には、マイク３６（図２に示す）のための孔１７が形成されている。本体２の一側面には、カバー３を閉じたままで操作可能なサイドキー１９（図５に示す）が設けられている。
【００３３】
メイン表示部６は、例えば液晶ディスプレイのような平面表示デバイスによって構成され、カバー３の内面３ｃのほぼ全域に配置されている。メイン表示部６よりも他端部３ｂ側の内面３ｃには、スピーカ３５（図２に示す）のための孔５が形成されている。
【００３４】
カバー３の他端部３ｂには、第３の筐体としての回転体２０が配置されている。回転体２０は、カバー３の他端部３ｂに形成された矩形状の凹部２４に収容され、その両側面２０ｅ，２０ｆがカバー３に対して回転自在に連結支持されている。回転体２０の回転軸は、ヒンジ４の中心軸と略平行に設定されている。回転体２０の回転移動範囲は、その一面２０ｃがカバー３の内面３ｃとがほぼ同じ方向を向いた内側位置（図１及び図５に示す）から、カバー３を開いた状態で回転体２０の一面２０ｃが上方を向いた後カバー３の外面（背面）３ｄとほぼ同じ方向を向く外側位置（図７に示す）までの略１８０°の範囲に設定されている。この範囲は、ストッパ（図示外）によって規制されている。また、カバー３と回転体２０の間には、板バネ等の付勢部材（図示外）が設けられている。付勢部材は、後述のように、内側位置に近接した回転体２０を内側位置に向かって付勢する。
【００３５】
回転体２０の一面２０ｃには、サブ表示部２１と、撮像装置としてのカメラ２２とが配置されている。サブ表示部２１は、メイン表示部６と同様に例えば液晶ディスプレイのような平面表示デバイスによって構成されているが、その表示領域はメイン表示部６よりも狭い。回転体２０が内側位置及び外側位置にあるとき、サブ表示部２１の表示面の垂線とメイン表示部６の表示面の垂線とは、ほぼ平行となる。以下の説明において、回転体２０が内側位置にあるときのサブ表示部２１の位置を内向きと称し、回転体２０が外側位置にあるときのサブ表示部２１の位置を外向きと称する。
【００３６】
図２に示すように、端末１は、電話機機能に関連した要素として、アンテナ１８、デュプレクサ３１、受信部（ＲＸ）３２、送信部（ＴＸ）３３、ＤＳＰ（Ｄｉｇｉｔａｌ　Ｓｉｇｎａｌ　Ｐｒｏｃｅｓｓｏｒ）３４、スピーカ３５、マイク３６、イヤホンレシーバ３７を含む。端末１は、さらに、その制御に関連した部分として、表示制御手段としての制御部３８、開閉検出手段としての開閉検出スイッチ７、位置検出手段としてのサブ位置検出スイッチ２３、メイン表示部６、サブ表示部２１、カメラ２２、撮像制御部４４、操作部３９、ＲＯＭ４２、及びＲＡＭ４３を有する。操作部３９は、図１及び図５に示した各種キーやボタンに相当する。ＲＯＭ４２には、本実施の後述する動作を実現するための制御プログラムが格納されている。ＲＯＭ４２は、フラッシュＲＯＭのような書き込み可能なメモリを含んでも良い。本発明には特に必須の要素ではないが、この例の端末１は、ブルートゥース（商標）のような近距離無線通信部４０及びそのためのアンテナ４１も備えている。
【００３７】
次に、回転体２０とカバー３との連結構造について説明する。
【００３８】
図１に示すように、カバー３の他端部３ｂの凹部２４には、その内面に沿って配置された略Ｕ状のフレーム８１が固定されている。フレーム８１は、底壁８１ａと底壁８１ａの両端から曲折されて相対向する一対の縦壁８１ｂ、８１ｃとを有する。回転体２０の一方の側面２０ｅはフレーム８１の一方の縦壁８１ｂと対向し、他方の側面２０ｆは他方の縦壁８１ｃと対向している。回転体２０の一方の側面２０ｅには軸部（図示外）が突設され、この軸部がフレーム８１の縦壁８１ｂの孔部（図示外）に挿入され回転自在に支持されている。
【００３９】
図３に示すように、回転体２０の他方の側面２０ｆ上にはダンパ５０が配置されている。ダンパ５０は、ダンパケース５１と回転支持部５２とＯリング５３とを備えている。ダンパケース５１は、回転体２０の側面２０ｆに固定され、縦壁８１ｃへ向かって突出する突起５５，５６を有する。回転支持部５２は、円盤部５７と軸５８とを有する。円盤部５７とダンパケース５１との間には、ダンピングオイル５４が注入され、Ｏリング５３はダンピングオイル５４の漏れを防止している。円盤部５７の周縁はダンピングケース５１に回転自在に支持されている。サブ位置検出スイッチ２３は、スイッチケース７１とスイッチ回転部７２とを備えている。スイッチケース７１は、フレーム８１の縦壁８１ｃに固定され、回転支持部５２の軸５８が挿入される孔７４を有する。軸５８と孔７４とは、共に平行な２平面を有し、軸５８が孔７４に挿入された係合状態で両者の相対回転が阻止される。すなわち、フレーム８１に固定されたスイッチケース７１に係合する回転支持部５２はカバー３（図１に示す）に対して回転せず、回転体２０に固定されたダンパケース５１が回転自在となる。スイッチ回転部７２は、ダンパ５０とスイッチケース７１との間に配置され、その周縁部に孔７８，７９を有する。この孔７８，７９にダンパケース５１の突起５５，５６が嵌合し、スイッチ回転部７２は、ダンパケース５１と共に回転する。スイッチケース７１とスイッチ回転部７２との間に形成された空間部７５には、導体７６，７７と導電性摺動体８０とが配置されている。導体７６，７７は、ダンパケース５１の回転軸を中心とした略円弧形状及び略円形状（図４に示す）を有する。導体７６，７７はスイッチケース７１に固定され、摺動体８０はスイッチ回転部７２に固定されている。ダンパケース５１が回転すると、スイッチ回転部７２が回転し、摺動体８０が導体７６，７７上を移動する。
【００４０】
図４に示すように、導体７７は、１８０°よりも狭い部分７７ａと広い部分７７ｂとに分割され、各導体７６，７７ａ，７７ｂは、それぞれ端子８２，８３，８４を有している。この図４は、回転体２０が内側位置（図１及び図５に示す）にある状態を表しており、係る状態で摺導体８０は導体７６と導体７７ａとを導通する。回転体２０が内側位置から回転し、導体７７ａ，７７ｂ間の分割位置を過ぎると、摺導体８０は導体７６と導体７７ｂとを導通する。このように、導体７６，７７間の導通状態が切り替わり、端子８２，８３，８４からの出力状態が変化することにより、回転体２０の位置が検出される。本実施形態では、回転体２０が内側位置から上方に向かって９０°よりも小さい所定角度だけ傾いた出力変更位置を境界として導体７６，７７間の導通状態が切り換わり、端子８２，８３，８４からの出力状態が切り換わるように、導体７７ａ，７７ｂ間の分割位置が設定されている。回転体２０が内側位置にあるときのサブ表示部２１の位置（内向き）が第１の位置に相当し、回転体２０が出力変更位置を過ぎて外側位置（図７及び図９に示す）に到達するまでの範囲（以下、この範囲をサブ表示部露出範囲と称する）にあるときのサブ表示部２１の位置が第２の位置に相当する。内側位置から出力変更位置までの間では、回転体２０は付勢部材（図示外）によって内側位置へ付勢される。これにより、回転体２０が設定される位置は、内側位置又はサブ表示部露出範囲内の任意位置となる。回転体２０が外側位置を含むサブ表示部露出範囲内にあるときは、カバー３の開閉状態によらず、回転体２０の一面２０ｃ（サブ表示部２１）が常に露出した状態、すなわち、サブ表示部２１が視認可能な状態となる。このように、サブ位置検出スイッチ２３は、回転体２０が内側位置にありサブ表示部２１がメイン表示部６と同じ側を向いた状態にあるか、又は回転体２０がサブ表示部露出範囲内にありカバー３の開閉状態によらずサブ表示部２１が露出して視認可能となる状態にあるかを検出し、その位置情報を制御部３８へ出力する。なお、サブ位置検出スイッチ２３の構成は上記に限定されない。また、その出力切換位置も上記に限定されず、さらに、回転体２０の回転方向によって出力切換位置が相違するように設定することもできる。
【００４１】
開閉検出スイッチ７としては、ヒンジ４内にサブ位置検出スイッチ２３と同様の構成を設けても良く、また本体２及びカバー３の一方と他方にそれぞれ突起と感圧スイッチとを設ける構成としても良い。この開閉検出スイッチ７の出力切換位置も、特定位置に限定されるものではない。
【００４２】
次に、本実施の形態の動作例を説明する。
【００４３】
図２に示すように、制御部３８は、開閉検出スイッチ７が検出する端末１（図１に示す）の開閉情報と、サブ位置検出スイッチ２３が検出する回転体２０（図１に示す）の位置情報とに基づき、メイン表示部６及びサブ表示部２１の表示状態を所定の表示モードに設定する。すなわち、表示モードは、端末１が開けられた使用状態か閉じられた待ち受け状態かという判断条件と、サブ表示部２１が内向きか外向きかという判断条件とに基づいて、適宜切り換えられる。
【００４４】
具体的には、図５に示すように、端末１が開かれ、回転体２０が内側位置（サブ表示部２１が内向き）に設定されているときは、第１の表示モードとされる。図６及び図７に示すように、端末１が開かれ、回転体２０が外側位置（サブ表示部２１が外向き）に設定されているときは、第２の表示モードとされる。図８に示すように、端末１が閉じられ、回転体２０が内側位置（サブ表示部２１が内向き）に設定されているときは、第３の表示モードとされる。そして、図９に示すように、端末１が閉じられ、回転体２０が外側位置（サブ表示部２１が外向き）に設定されているときは、第４の表示モードとされる。
【００４５】
このように、制御部３８は、基本的に開閉検出スイッチ７からの開閉情報とサブ位置検出スイッチ２３からの位置情報とに基づき表示モードを適宜切り換えるが、サイドキー１９を介して所定の入力があった場合には、位置情報及び開閉情報に優先して表示モードを切り換える。
【００４６】
図１０は、位置情報及び開閉情報に応じて変更される各表示モード間の遷移を表している。端末１を開けた状態で、回転体２０を内側位置から外側位置へ変更する（サブ表示部２１を内向きから外向きへ変更する）と第１の表示モードから第２の表示モードへ変更され、反対に、回転体２０を外側位置から内側位置へ変更する（サブ表示部２１を外向きから内向きへ変更する）と第２の表示モードから第１の表示モードへ変更される。端末１を閉じた状態で、回転体２０を内側位置から外側位置へ変更する（サブ表示部２１を内向きから外向きへ変更する）と第３の表示モードから第４の表示モードへ変更され、反対に、回転体２０を外側位置から内側位置へ変更する（サブ表示部２１を外向きから内向きへ変更する）と第４の表示モードから第３の表示モードへ変更される。回転体２０を内側位置に設定した状態（サブ表示部２１を内向きとした状態）で、端末１を閉じると第１の表示モードから第３の表示モードへ変更され、反対に端末１を開けると第３の表示モードから第１の表示モードへ変更される。回転体２０を外側位置に設定した状態（サブ表示部２１を外向きとした状態）で、端末１を閉じると第２の表示モードから第４の表示モードへ変更され、反対に端末を開けると第４の表示モードから第２の表示モードへ変更される。
【００４７】
図５に示すように、端末１が開けられた使用時であって回転体２０が内側位置に設定されている第１の表示モードでは、サブ表示部２１はメイン表示部６と同じ側を向いて露出するので、使用者はメイン表示部６を視認した状態のままその視線を移すだけでサブ表示部２１を視認することができる。このため、制御部３８（図２に示す）は、メイン表示部６及びサブ表示部２１の両方にそれぞれ所定の情報を表示する。
【００４８】
図６及び図７に示すように、端末１が開けられた使用時であって回転体２０が外側位置に設定されている第２の表示モードでは、メイン表示部６を見る使用者の視界からサブ表示部２１が必然的に外れる。このため、制御部３８は、メイン表示部６のみに所定の情報を表示し、サブ表示部２１の初期状態を非表示に設定する。サブ表示部２１が非表示（ＯＦＦ）となることにより、省電力化が図られる。
【００４９】
この第２の表示モードでは、メイン表示部６は、上端及び下端の帯状の表示領域６ａ，６ｃと中央の広い表示領域６ｂとに分割される。制御部３８は、カメラ２２で写された映像のビューア、メールの作成・閲覧を行うメーラ、ｉアプリ（商標）、ウェブブラウザ等のアプリケーションの画面を、メイン表示部６の中央の表示領域６ｂに表示する。また、制御部３８は、上端の表示領域６ａに、バッテリ残量、圏外／圏内、電波状態等の情報を表示し、下端の表示領域６ｃに、キー操作情報等を表示する。
【００５０】
端末１が開けられた使用時であって、回転体２０がサブ表示部露出範囲内の任意位置にあるときも、回転体２０が外側位置に設定されている場合と同様に、第２の表示モードに設定される。これは、係る状態ではサブ表示部２１がメイン表示部６に対して傾いて設定されることから、使用者がメイン表示部６を視認した状態のままその視線を移すだけではサブ表示部２１を視認できない可能性があるためである。なお、この第２の表示モードにおいて、サブ表示部２１への情報の表示を希望する使用者は、サイドキー１９を操作して第１の表示モードに変更すれば良い。
【００５１】
サブ表示部２１が外向きから内向きに変更され、表示モードが第２の表示モードから第１の表示モードへ移行すると、制御部３８は、第２の表示モードにおいて上端の表示領域６ａに表示していたバッテリ残量等の情報や下端の表示領域６ｃに表示していたキー操作情報等の一部又は全部を、サブ表示部２１に表示すると共に、第２の表示モードにおいて中央の表示領域６ｂに表示していたアプリケーションの画面をメイン表示部６の全域に表示する。
【００５２】
このように、第１の表示モードでは、第２の表示モードよりもサブ表示部２１の分だけ表示領域が拡大されるので、使用者は、メールの作成や閲覧、ウェブの閲覧、ゲーム等を大画面で行うことができる。
【００５３】
また、第１の表示モードでは、サブ表示部２１の表示状態に関して、使用者からの入力により同時表示モードと逐次表示モードのうち一方が設定される。同時表示モードでは、バッテリ残量等の情報やキー操作情報等がサブ表示部２１に同時に表示され、逐次表示モードでは逐次に表示される。
【００５４】
同時表示モードでは、制御部３８は、第２の表示モードよりも文字やアイコンの大きさを縮小してサブ表示部２１に表示し、逐次表示モードでは、同じ大きさのまま表示する。逐次表示モードでは、制御部３８は、サブ表示部２１の表示状態を、使用者の所定の操作に応じて、アイコン表示画面、情報表示画面、キー操作表示画面の順に切り換える。或いは、これらの画面を画面スクロールによって逐次視認できるように表示する。
【００５５】
また、第１の表示モードや第２の表示モードにおいて、使用者からのキー操作が所定時間行われなかった場合には、制御部３８は、メイン表示部６やサブ表示部２１を、非表示或いはスクリーンセーバー表示に設定し、省電力化を図る。
【００５６】
さらに、第２の表示モードにおいてカメラ２２が使用される場合、図７に示すように、カメラ２２はサブ表示部２１と共にカバー３の外面（背面）３ｄと同じ側を向いており、カメラ２２の正面に位置する被写体からは、メイン表示部６（図６に示す）は見えずサブ表示部２１のみが視認可能となる。このため、制御部３８は、被写体にとって有用な情報を所定の時間だけサブ表示部２１に表示する。被写体への情報の例としては、タイマー機能を使用した場合のカウントダウン表示（例えば、「３」，「２」，「１」，「０」の数字を順次表示する）や被写体の映像などがある。カウントダウンは撮影の瞬間の数秒前から撮影の瞬間まで、被写体の映像はカメラ２２の使用時に限りそれぞれ表示され、その後は初期状態（非表示）に戻される。なお、カウントダウンと映像とが重なるときは、制御部３８は、初期設定（使用者によって初期設定が変更された場合は変更後の設定）に従って、双方の表示又は一方の優先的な表示を行う。
【００５７】
図８に示すように、端末１が閉じられた待ち受け時であって回転体２０が内側位置に設定されている第３の表示モードでは、メイン表示部６及びサブ表示部２１が共に本体２によって覆われて視認不可能な状態となる。このため、制御部３８は、メイン表示部６及びサブ表示部２１を共に非表示に設定する。メイン表示部６及びサブ表示部２１が共に非表示（ＯＦＦ）となることにより、省電力化が図られる。
【００５８】
図９に示すように、端末１が閉じられた待ち受け時であって回転体２０が外側位置に設定されている第４の表示モードでは、メイン表示部６は本体２に覆われて視認不可能な状態となり、サブ表示部２１はカバー３の外面３ｄと同じ側に露出する。このため、制御部３８は、メイン表示部６を非表示に設定すると共に、サブ表示部２１に所定の情報を表示する。具体的には、例えば、バッテリ残量、圏外／圏内、電波状態、時刻等の情報や、着信時における発信者の電話番号、メールアドレス、予めアドレス帳に記憶された発信者の名前等の着信情報などが表示される。これにより、使用者は、端末１を閉じた状態のままで、サブ表示部２１から所定の情報を得ることができる。
【００５９】
制御部３８は、端末１が閉じられ回転体２０がサブ表示部露出範囲内の任意の位置に設定されているときに、サブ表示部２１を第４の表示モードに設定し、サブ表示部２１に所定の情報を表示する。従って、使用者は、サブ表示部露出範囲内においてカバー３に対する回転体２０の角度を変更することによって、端末１全体の角度を変えることなく、サブ表示部２１を見易い角度に設定することができる。
【００６０】
サブ表示部２１が外向きに設定されて端末１が閉じられている待ち受け時において、使用者が端末１から離れる等の理由により着信情報等を視認できない状態へ変更したいときには、使用者は、回転体２０を内側位置へ移動させればよい。これにより、サブ表示部２１が内向きとなって本体２に覆われ、端末１を開けない限り、着信情報等を視認できない状態となる。すなわち、キー操作を要することなく、回転体２０を回転移動させるという簡単な操作のみによって、着信情報等を視認できない状態へ確実に変更することができ、第三者に不用意に着信情報を視認されることがない。また、係る状態では、サブ表示部２１そのものが本体２によって覆われて露出していないので、着信情報等の視認が可能な状態か否かの判断を一目見て瞬時に行うことができる。
【００６１】
また、待ち受け時にサブ表示部２１を内向きに設定しておけば、サブ表示部２１及びカメラ２２が本体２によって覆われて保護されるため、持ち運びの際などにおけるサブ表示部２１やカメラ２２の損傷を確実に防止することができる。
【００６２】
なお、本実施の形態では、サイドキー１９を操作することによって表示モードを切り換えることもできる。このため、使用者は、端末１が閉じられサブ表示部２１が外向きに露出している状態のままサイドキー１９を操作して、表示状態を第４の表示モードから他の表示モード（例えば、サブ表示部２１が非表示に設定される第３の表示モード）へ切り換えることにより、サブ表示部２１を非表示に設定することも可能である。
【００６３】
また、図５及び図９に示すように、カバー３が上方へ開けられた第１の表示モードにおいて回転体２０の下端となる一端２０ａと上端となる他端２０ｂとは、カバー３が下方へ閉じられると共に回転体２０が反転してヒンジ４が端末１の上端となる第４の表示モードにおいて同様に回転体２０の下端と上端となる。すなわち、第１の表示モードと第４の表示モードとでは、サブ表示部２１の上下が反転しない。これに対し、図７に示すように、第２の表示モードでは、第１及び第４の表示モードにおいて回転体２０の下端となる一端２０ａと上端となる他端２０ｂとは、それぞれ回転体２０の上端と下端に入れ替わる。すなわち、第１及び第４の表示モードと第２の表示モードとでは、サブ表示部２１における表示の上下が反転する。従って、制御部３８は、第２の表示モードにおけるサブ表示部２１の画像の上下を、第１及び第４の表示モードにおけるサブ表示部２１の画像の上下に対して反転させて表示する。なお、各表示モードにおけるサブ表示部２１の画像の上下は、使用時及び待ち受け時における端末１の上下方向をどのように設定するかによって決定され、この端末１の上下方向の設定に応じてサブ表示部２１の画像の上下も設定される。
【００６４】
図１１に、本実施の形態における表示関連処理のフローの一例を示す。
【００６５】
端末１が開けられ、電源キー／終話キー１３が操作されて、電源が入れらた時点で「はじめ」となる。図には、終了条件が記載されていないが、電源が切れた時点で無条件に終了となる。なお、図１１の例では、サイドキー１９の操作によって優先的に表示モードが変更される場合の処理は考慮されていない。
【００６６】
図１１の処理において、まず、ステップＳ１１において、制御部３８は、サブ位置検出スイッチ２３からの出力に基づいて、サブ表示部２１が内向きか否か、換言すると回転体２０が内側位置にあるか否かを判断する。サブ表示部２１が内向きのとき（ＹＥＳ）はステップＳ１２へ進み、それ以外のとき、すなわち回転体２０がサブ表示部露出範囲にあるとき（ＮＯ）はステップＳ１３へ進む。
【００６７】
ステップＳ１２では、端末１が開き、且つサブ表示部２１が内向きに設定されているので、制御部３８は、メイン表示部６及びサブ表示部２１の表示状態を第１の表示モードに設定し、メイン表示部６とサブ表示部２１とに所定の情報を表示する。
【００６８】
ステップＳ１３では、端末１が開き、且つサブ表示部２１が外向きに設定され或いはメイン表示部６に対して傾いているので、制御部３８は、メイン表示部６及びサブ表示部２１の表示状態を第２の表示モードに設定し、メイン表示部６に所定の情報を表示すると共にサブ表示部２１を非表示状態に設定する。
【００６９】
次に、ステップＳ１４へ進み、開閉情報に変更があったか否か、すなわち、開閉検出スイッチ７からの出力が変化したか否かを判断し、変更があった場合（ＹＥＳ）には、ステップＳ１５へ進み、開閉情報を検出した後、ステップＳ１８へ進む。
【００７０】
ステップＳ１４において、開閉情報に変更がなかった場合（ＮＯ）には、ステップＳ１６へ進み、サブ表示部２１の位置情報に変更があったか否か、すなわち、サブ位置検出スイッチ２３からの出力が変化したか否かを判断する。変更があった場合（ＹＥＳ）には、ステップＳ１７へ進み、位置情報を検出した後、ステップＳ１８へ進む。一方、変更がなかった場合（ＮＯ）には、ステップＳ１４へ戻り、開閉情報又は位置情報が変更されるまで現状の表示モードを維持する。
【００７１】
ステップＳ１８では、ステップＳ１５又はステップＳ１７において検出した開閉情報又は位置情報と、図１０に示す表示モード遷移図とに基づいて、メイン表示部６及びサブ表示部２１の表示モードを設定する。
【００７２】
上記フローは、端末１を開けた状態でのみ電源のＯＮ／ＯＦＦ操作が可能な場合の処理について説明したが、端末を閉じた状態でのみ電源のＯＮ／ＯＦＦ操作が可能な場合には、上記ステップＳ１２において第３の表示モードに設定し、ステップ１３において第４の表示モードに設定した後、上記ステップＳ１４からＳ１８までのフローに従って表示モードをすれば良い。
【００７３】
開状態及び閉状態の双方で電源のＯＮ／ＯＦＦ操作が可能な端末の場合には、上記ステップＳ１１の前に、「端末は開いている？」か否かを判断するステップを設定し、端末が開いている（ＹＥＳ）のときには、上記ステップＳ１１へ進み、その後上記ステップＳ１８までのフローに従って表示モードを設定すれば良い。一方、端末が閉じている（ＮＯ）のときには上記閉じられたまま電源のＯＮ／ＯＦＦを行う端末の場合と同様のフローに従って、表示モードを設定すれば良い。
【００７４】
端末１は、本発明が適用される携帯端末装置の一例にすぎず、本発明はこれに限定されるものではない。例えば、メイン表示部６が本体２に操作キーがカバー３にそれぞれ設けられても良く、サブ表示部２１が本体２に設けられても良い。所定のキー操作によって回転体２０を自動駆動させるための機構が設けられても良い。回転体２０の回転を所定の位置で阻止するロック機構が設けられても良い。カメラ２２は設けられていなくても良く、設けられている場合であってもサブ表示部２１と共に動くように回転体２０に配置されている必要はない。さらに、回転体２０の回転軸は、ヒンジ４の中心軸と交叉する方向に設定されていても良い。
【００７５】
また、本発明は、一例として説明した上述の実施形態に限定されることはない。すなわち、上述の実施形態以外であっても、本発明に係る技術的思想を逸脱しない範囲であれば、設計等に応じて種々の変更が可能であることは勿論である。
【００７６】
【発明の効果】
以上説明したように、本発明によれば、２つの表示部を有効に活用することによって表示領域の拡大を図ることができる。第２の表示部の位置を変更することによって、待ち受け時における着信情報等の表示方向の変更や着信情報等を視認できない状態への変更を簡単に行うことができる。さらに、待ち受け時において、第２の表示部の位置によって着信情報等が視認可能な状態か否かを判断することが可能なため、その判断を瞬時に行うことができる。
【図面の簡単な説明】
【図１】本発明が適用される折り畳み式の端末の外観斜視図である。
【図２】図１の端末のハードウェア構成を示すブロック図である。
【図３】図１の端末のカバーと回転体との連結構造を示す要部断面図である。
【図４】図３のサブ位置検出スイッチの模式図である。
【図５】第１の表示モードに設定された端末の要部外観図である。
【図６】第２の表示モードに設定された端末を内側から視た要部外観図である。
【図７】第２の表示モードに設定された端末を外側から視た要部外観図である。
【図８】第３の表示モードに設定された端末の要部外観図である。
【図９】第４の表示モードに設定された端末の要部外観図である。
【図１０】表示モード遷移図である。
【図１１】本発明の実施の形態における表示関連処理の一例を示すフローチャートである。
【符号の説明】
１…端末（携帯電話機、携帯端末装置）、２…本体（第１の筐体）、２ｃ…本体の内面、２ｄ…本体の外面、３…カバー（第２の筐体）、３ｃ…カバーの内面、３ｄ…カバーの外面、４…ヒンジ（連結部）、６…メイン表示部（第１の表示部）、７…開閉検出スイッチ（開閉検出手段）、２０…回転体（第３の筐体）、２１…サブ表示部（第２の表示部）、２２…カメラ（撮像装置）、２３…サブ位置検出スイッチ（位置検出手段）、３８…制御部（表示制御手段）
【図１】
2004040452.tif 000003
【図２】
2004040452.tif 000004
【図３】
2004040452.tif 000005
【図４】
2004040452.tif 000006
【図５】
2004040452.tif 000007
【図６】
2004040452.tif 000008
【図７】
2004040452.tif 000009
【図８】
2004040452.tif 000010
【図９】
2004040452.tif 000011
【図１０】
2004040452.tif 000012
【図１１】
2004040452.tif 000013